(57)【要約】【課題】ＩＣカードやリーダライタが複雑化、大型化したり、コストアップしたりすることなく、高電圧の印加によりＩＣチップ等に悪影響を及ぼさないようにする。【解決手段】ＩＣカード３００をリーダライタ４００にセットするときは、ＩＣカード３００を斜めにしてその一端を挿入部４０５に差し入れるようにして挿入した後、ＩＣカード３００を寝かせて他端を係止部４０６で係止する。このとき、第２の端子４０２ｂがＩＣカード３００の第２の接点端子３０３ｂに接触する前に、第１の端子４０２ａがＩＣカード３００の第１の接点端子３０３ａに接触する。また、ＩＣカード３００をリーダライタ４００から取り外すときは、第２の端子４０２ｂがＩＣカード３００の第２の接点端子３０３ｂから離間した後に、第１の端子４０２ａがＩＣカード３００の第１の接点端子３０３ａから離間することになる。【選択図】図４
2010198220.tif 000002
【特許請求の範囲】
【請求項１】
表示デバイスを備えたＩＣカードのデータを読み書きするとともに、前記表示デバイスの表示を書き換えるためのリーダライタであって、
前記ＩＣカードの一又は複数の第１の接点端子に接触する一又は複数の第１の端子と、
前記ＩＣカードの高電圧接点端子を含む一又は複数の第２の接点端子に接触する一又は複数の第２の端子と備え、
前記ＩＣカードをセットするときに、前記第２の端子が前記ＩＣカードの第２の接点端子に接触する前に、前記第１の端子が前記ＩＣカードの第１の接点端子に接触し、
前記ＩＣカードを取り外すときに、前記第２の端子が前記ＩＣカードの第２の接点端子から離間した後に、前記第１の端子が前記ＩＣカードの第１の接点端子から離間する構成にしたことを特徴とするリーダライタ。
【請求項２】
前記第２の端子は、前記表示デバイスの表示駆動用電圧を供給するための端子を含むことを特徴とする請求項１に記載のリーダライタ。
【請求項３】
前記ＩＣカードにおいて、前記表示デバイスは表面に、前記第１の接点端子は一端の端面に、前記第２の接点端子は裏面にそれぞれ配設されていることを特徴とする請求項１又は２に記載のリーダライタ。
【請求項４】
前記ＩＣカードを載置するための基台と、
前記基台上に設けられた、前記ＩＣカードの前記一端を挿入する挿入部とを備え、
前記ＩＣカードをセットするときは、前記ＩＣカードを斜めにして前記一端を前記挿入部に挿入した後、前記ＩＣカードを水平にする構成とされており、
前記第１の端子は前記挿入部内に配設され、前記第２の端子は前記基台上に配設されていることを特徴とする請求項３に記載のリーダライタ。
【請求項５】
前記基台上に設けられた、前記ＩＣカードの他端を係止する係止部を備えたことを特徴とする請求項４に記載のリーダライタ。
【請求項６】
前記ＩＣカードは非接触ＩＣカードであり、
前記データの読み書きを無線通信で行い、
前記表示デバイスの表示の書き換えを前記第１の接点端子及び前記第２の接点端子を介して行うことを特徴とする請求項１乃至５のいずれか１項に記載のリーダライタ。
【請求項７】
カード本体と、
前記カード本体の表面に設けられた表示デバイスと、
前記カード本体の一端の端面に配設された一又は複数の第１の接点端子と、
前記カード本体の裏面に配設された高電圧接点端子を含む一又は複数の第２の接点端子とを備えたことを特徴とするＩＣカード。
【請求項８】
前記高電圧接点端子は、前記表示デバイスの表示駆動用電圧を供給するための接点端子であることを特徴とする請求項７に記載のＩＣカード。
【請求項９】
非接触ＩＣカードであり、
リーダライタとの無線通信によりデータを読み書きする第１のＩＣチップと、
リーダライタとの前記第１の接点端子及び前記第２の接点端子を介しての接触通信により前記表示デバイスの表示を書き換える第２のＩＣチップとを内蔵することを特徴とする請求項７又は８に記載のＩＣカード。
【発明の詳細な説明】
【技術分野】
【０００１】
本発明は、表示デバイスを備えたＩＣカード、及び、該ＩＣカードのデータを読み書きするとともに、表示デバイスの表示を書き換えるためのリーダライタに関する。
【背景技術】
【０００２】
ＩＣカードは、磁気カード等に比べて記憶容量が大きく、機密性や安全性に優れているといった理由から、多種多様な分野において利用されている。特に近年では、リーダライタとの間で電磁誘導方式の無線通信を行う非接触ＩＣカードが広く利用されている。
【０００３】
ＩＣカードのリーダライタとして、例えば特許文献１には、光記録層とＩＣとを備えたハイブリッドカードを水平方向にスライドさせてカードの先端をスロットに挿入する記録再生装置が開示されている。
【先行技術文献】
【特許文献】
【０００４】
【特許文献１】特開平１１−１６１７４４号公報
【特許文献２】特開２００８−２１７１０６号公報
【発明の概要】
【発明が解決しようとする課題】
【０００５】
ところで、ＩＣカードを利用するに際して、その内部に記憶されている電子的なデータをどのようにして可視化するかが一つの重要な課題である。本出願人は、非接触ＩＣカードにディスプレイ（具体的には電子ペーパ）を設けるとともに、表示制御ＩＣチップを内蔵することを提案している（例えば特許文献２を参照）。
【０００６】
電子ペーパは、電力供給がなくても表示が残存するが、表示の書き換え時には電力が必要となる。そして、その表示の書き換え時に要する電圧は、ＩＣチップ等の他のデバイスの駆動用電圧に比べて高電圧となっている。すなわち、ＩＣカードには、低電圧デバイス（ＩＣチップ等）及び高電圧デバイス（ディスプレイ）の両方が実装されることになる。
【０００７】
このように低電圧デバイス及び高電圧デバイスの両方が実装されている場合に、なんらかの原因で低電圧が遮断され、高電圧だけが印加されると、低電圧デバイスに悪影響を及ぼすおそれがある。
【０００８】
低電圧デバイスを保護するために、例えばＩＣカード内に保護回路を実装することも考えられるが、ＩＣカード内の回路の複雑化、ＩＣカードの大型化、コストアップ等の要因となってしまう。また、リーダライタ内に保護回路を実装することも考えられるが、その場合も、リーダライタ内の回路の複雑化、リーダライタの大型化、コストアップ等の要因となり、更には保護回路以降の問題、すなわちＩＣカード側の問題に対して効果が期待できない。
【０００９】
本発明は以上のような状況に鑑みてなされたものであり、高電圧デバイスを実装する場合に、ＩＣカードやリーダライタが複雑化、大型化したり、コストアップしたりすることなくＩＣチップ等を保護できるようにすることを目的とする。
【課題を解決するための手段】
【００１０】
本発明のリーダライタは、表示デバイスを備えたＩＣカードのデータを読み書きするとともに、前記表示デバイスの表示を書き換えるためのリーダライタであって、前記ＩＣカードの一又は複数の第１の接点端子に接触する一又は複数の第１の端子と、前記ＩＣカードの高電圧接点端子を含む一又は複数の第２の接点端子に接触する一又は複数の第２の端子と備え、前記ＩＣカードをセットするときに、前記第２の端子が前記ＩＣカードの第２の接点端子に接触する前に、前記第１の端子が前記ＩＣカードの第１の接点端子に接触し、前記ＩＣカードを取り外すときに、前記第２の端子が前記ＩＣカードの第２の接点端子から離間した後に、前記第１の端子が前記ＩＣカードの第１の接点端子から離間する構成にしたことを特徴とする。
また、本発明のリーダライタの他の特徴とするところは、前記第２の端子は、前記表示デバイスの表示駆動用電圧を供給するための端子を含む点にある。
また、本発明のリーダライタの他の特徴とするところは、前記ＩＣカードにおいて、前記表示デバイスは表面に、前記第１の接点端子は一端の端面に、前記第２の接点端子は裏面にそれぞれ配設されている点にある。
また、本発明のリーダライタの他の特徴とするところは、前記ＩＣカードを載置するための基台と、前記基台上に設けられた、前記ＩＣカードの前記一端を挿入する挿入部とを備え、前記ＩＣカードをセットするときは、前記ＩＣカードを斜めにして前記一端を前記挿入部に挿入した後、前記ＩＣカードを水平にする構成とされており、前記第１の端子は前記挿入部内に配設され、前記第２の端子は前記基台上に配設されている点にある。
また、本発明のリーダライタの他の特徴とするところは、前記基台上に設けられた、前記ＩＣカードの他端を係止する係止部を備えた点にある。
また、本発明のリーダライタの他の特徴とするところは、前記ＩＣカードは非接触ＩＣカードであり、前記データの読み書きを無線通信で行い、前記表示デバイスの表示の書き換えを前記第１の接点端子及び前記第２の接点端子を介して行う点にある。
本発明のＩＣカードは、カード本体と、前記カード本体の表面に設けられた表示デバイスと、前記カード本体の一端の端面に配設された一又は複数の第１の接点端子と、前記カード本体の裏面に配設された高電圧接点端子を含む一又は複数の第２の接点端子とを備えたことを特徴とする。
また、本発明のＩＣカードの他の特徴とするところは、前記高電圧接点端子は、前記表示デバイスの表示駆動用電圧を供給するための接点端子である点にある。
また、本発明のＩＣカードの他の特徴とするところは、非接触ＩＣカードであり、リーダライタとの無線通信によりデータを読み書きする第１のＩＣチップと、リーダライタとの前記第１の接点端子及び前記第２の接点端子を介しての接触通信により前記表示デバイスの表示を書き換える第２のＩＣチップとを内蔵する点にある。
【発明の効果】
【００１１】
本発明によれば、高電圧デバイスである表示デバイスを実装する場合に、ＩＣカードやリーダライタが複雑化、大型化したり、コストアップしたりすることなくＩＣチップ等を確実に保護することができる。
【図面の簡単な説明】
【００１２】
【図１】実施形態に係る電子バリュー販売・購入システムの全体構成を示す図である。
【図２】実施形態に係るＩＣカードの外観図である。
【図３】実施形態に係るリーダライタの外観図である。
【図４】リーダライタに対するＩＣカードのセット及び取り外しを説明するための側面図である。
【図５】挿入部まわりの拡大図である。
【図６】ＩＣカードの電子ペーパによる表示例を示す図である。
【図７】挿入部の他の構成例を示す図である。
【図８】挿入部の他の構成例を示す図である。
【図９】挿入部の他の構成例を示す図である。
【発明を実施するための形態】
【００１３】
以下、添付図面を参照して、本発明の好適な実施形態について説明する。
図１は、本実施形態に係る電子バリュー販売・購入システムの全体構成を示す図である。本実施形態では、各家庭のパーソナルコンピュータ２００からインターネットを介してサーバ１００にアクセスし、電子バリューを購入して、その後、その電子バリューをリーダライタ４００を介して非接触ＩＣカード３００に書き込む形態を説明する。
【００１４】
１００はサーバであり、インターネットを介して電子バリューを販売する。電子バリューとしては、鉄道の乗車券、指定券や特急券、定期券、各種イベントの電子チケット等がある。
【００１５】
２００はパーソナルコンピュータ（以下、「ＰＣ」と称する）であり、ＣＰＵ、ＲＯＭ、ＲＡＭ等を含んで構成される。ＰＣ２００にはＷＥＢブラウザがインストールされており、インターネットを介してサーバ１００にアクセスし、電子バリューを購入してダウンロードすることができる。また、ＰＣ２００には、リーダライタ４００を制御して、非接触ＩＣカード３００のデータ（電子バリュー）を読み書きするとともに、電子ペーパ３０１の表示を書き換えるための制御プログラムがインストールされており、ＣＰＵが制御部２０１として機能する。
【００１６】
３００は非接触ＩＣカード（以下、単に「ＩＣカード」と称する）であり、表示デバイスである電子ペーパ３０１を備える。ＩＣカード３００は、ループコイルからなる不図示のアンテナ及び第１のＩＣチップとして非接触チップ３０２を内蔵しており、リーダライタ４００と電磁誘導方式の無線通信（非接触通信）を行う。非接触チップ３０２は、ＣＰＵ、ＲＯＭ、ＲＡＭ等を含んで構成され、電磁誘導方式で得られる電力で駆動する。また、ＩＣカード３００は、接点端子３０３を備えるとともに第２のＩＣチップとして接触チップ３０４を内蔵しており、リーダライタ４００と接触通信を行う。接触チップ３０４は、ＣＰＵ、ＲＯＭ、ＲＡＭ等を含んで構成され、接触通信によりリーダライタ４００から供給される電力で駆動する。
【００１７】
４００はリーダライタであり、ＰＣ２００にＵＳＢケーブル５００を介して接続する。リーダライタ４００は、不図示のアンテナ及び非接触通信部４０１を内蔵しており、ＩＣカード３００と電磁誘導方式の無線通信（非接触通信）を行う。また、リーダライタ４００は、ＩＣカード３００の接点端子３０３に接触する端子４０２を備えるとともに接触通信部４０３を内蔵しており、ＩＣカード３００と接触通信を行う。
【００１８】
リーダライタ４００は、ＩＣカード３００がセットされた状態で、ＰＣ２００の制御部２０１による制御下、ＩＣカード３００の電子バリューを読み書きするとともに、電子ペーパ３０１の表示を書き換える。
【００１９】
このとき、リーダライタ４００は、電子バリューの読み書きはアンテナを介して無線通信で行い、電子バリューに対応する電子ペーパ３０１の表示の書き換えは接点端子３０３、端子４０２を介して接触通信で行う。電子ペーパ３０１の表示の書き換え時には電力が必要となり、その電圧はチップ３０２、３０４等の駆動用電圧に比べて高電圧である。このような高電圧を電磁誘導方式で発生させるのは現実的ではなく（例えばループコイルの巻数を増やす等しなければならずＩＣカード３００の薄型化に反する）、電子ペーパ３０１の表示の書き換えは接触通信で行うようにしたものである。
【００２０】
図２に、ＩＣカード３００の外観を示す。図２（ａ）に示すように、カード本体３０５の表面には、電子ペーパ３０１が設けられている。後述するようにカード本体３０５の表面には接点端子３０３を配設しないので、図２（ａ）に示すように、電子ペーパ３０１をカード本体３０５の表面の広い領域にわたって配置することができ、視認性を高めることができる。
【００２１】
カード本体３０５の長手方向の一端の端面には、複数の第１の接点端子３０３ａが配設されている。また、図２（ｂ）に示すように、カード本体３０５の裏面には、高電圧接点端子を含む複数の第２の接点端子３０３ｂが配設されている。これら接点端子３０３ａ、３０３ｂが、図１に示した接点端子３０３をなすものである。
【００２２】
第１の接点端子３０３ａとしては、接触チップ３０４に電源を供給するロジック電源供給用の接点端子、クロック信号を送るための接点端子、接地用の接点端子、電子ペーパ３０１の表示用データを入出力するための入出力用の接点端子が割りあてられている。一方、第２の接点端子３０３ｂとしては、電子ペーパ３０１の表示駆動用電圧を供給するための接点端子が割りあてられている。図示例では、電子ペーパ３０１の縦方向に電圧を印加するための接点端子と、横方向に電圧を印加するための接点端子とが別々となっている。なお、ここで述べた以外の接点端子（未接続の接点端子を含む）を第１の接点端子３０３ａ又は第２の接点端子３０３ｂに割りあててもよい。
【００２３】
ここで、第２の接点端子３０３ｂは、第１の接点端子３０３ａに比べて高電圧接点端子となっている。電子ペーパ３０１の仕様によって異なるが、第１の接点端子３０３ａでは３〜５Ｖ程度の電圧を印加すればよいのに対して、第２の接点端子３０３ｂでは電子ペーパ３０１の縦方向に３５Ｖ程度の表示駆動用電圧を印加し、横方向に７０Ｖ程度の表示駆動用電圧を印加する必要がある。
【００２４】
図３に、ＩＣカード３００がセットされた状態のリーダライタ４００の外観を示す。リーダライタ４００は、ＩＣカード３００を載置するための基台４０４を備える。基台４０４上には、ＩＣカード３００の長手方向の一端（以下、単に「一端」と称する）を挿入する挿入部４０５と、ＩＣカード３００の長手方向の他端（以下、単に「他端」と称する）を係止する係止部４０６とが互いに対向するように設けられている。これら基台４０４、挿入部４０５及び係止部４０６は樹脂により成形されている。
【００２５】
挿入部４０５は、係止部４０６側に開口する袋状もしくはポケット状に形成されており、ＩＣカード３００の一端を挿入できるようになっている。
【００２６】
係止部４０６は、基台４０４上から上方に延びる弾性変形可能な板状の支持部４０６ａと、支持部４０６ａの上端に一体形成されたヘッド部４０６ｂとを有する。ヘッド部４０６ｂは挿入部４０５側に突出しており、図４に示すように、下面に水平面である係止面４０６ｃが形成され、上面に傾斜面４０６ｄが形成されている。更に、支持部４０６ａの後方（挿入部４０５と反対側）には解除レバー４０６ｅが一体形成されており、解除レバー４０６ｅを押すことにより、支持部４０６ａを後方に反らせるように弾性変形させることができる。
【００２７】
ここで、図４、５に示すように、挿入部４０５の奥側の面には、ＩＣカード３００の第１の接点端子３０３ａに対応する複数の第１の端子４０２ａが配設されている。また、基台４０４上には、ＩＣカード３００の第２の接点端子３０３ｂに対応する複数の第２の端子４０２ｂが配設されている。これら端子４０２ａ、４０２ｂが、図１に示した端子４０２をなすものである。なお、第１、２の端子４０２ａ、４０２ｂは、例えばピン状、板バネ状等、どのような形状であってもよい。
【００２８】
また、基台４０４上には、挿入部４０５と係止部４０６との間であって係止部４０６に近い位置に、不図示の付勢手段により上方に付勢されたボタン状の突出部材４０７が設けられている。
【００２９】
ＩＣカード３００をリーダライタ４００にセットするときは、ＩＣカード３００を斜めにしてその一端を挿入部４０５に差し入れるようにして挿入する。このとき、図５（ａ）に示すように、第１の端子４０２ａがＩＣカード３００の第１の接点端子３０３ａに接触する。
【００３０】
その後、ＩＣカード３００を寝かせていくと、ＩＣカード３００の他端が係止部４０６の傾斜面４０６ｄに当接して係止部４０６を押して、係止部４０６が後方に反るように弾性変形する。そして、ＩＣカード３００を更に寝かせて、ＩＣカード３００の他端が係止部４０６の傾斜面４０６ｄの下端を超えて基台４０４と略水平になると、係止部４０６が元の状態に復帰し、係止面４０６ｃがＩＣカード３００の他端上面に係止して、セット完了となる。このとき、図５（ｂ）に示すように、第２の端子４０２ｂがＩＣカード３００の第２の接点端子３０３ｂに接触する。
【００３１】
ＩＣカード３００がセットされた状態では、突出部材４０７は付勢手段の付勢力に抗して押し込まれた状態となる。なお、突出部材４０７が所定のストロークだけ押し込まれると、ＩＣカード３００がセットされたものとして、リーダライタ４００側にセット完了通知を行うような構成としてもよい。
【００３２】
以上のように、ＩＣカード３００をリーダライタ４００にセットするときは、第２の端子４０２ｂがＩＣカード３００の第２の接点端子３０３ｂに接触する前に、第１の端子４０２ａがＩＣカード３００の第１の接点端子３０３ａに接触することになる。すなわち、第１の端子４０２ａ及び第２の端子４０３ｂの両方から電圧供給がなされている状態でＩＣカード３００をセットしたとしても、電圧印加の順序は低電圧が先に、高電圧が後になる。
【００３３】
このようにしてＩＣカード３００がリーダライタ４００にセットされると、ＰＣ２００の制御部２０１は、リーダライタ４００を介してＩＣカード３００の電子バリューを読み書きするとともに、電子ペーパ３０１の表示を書き換える。このとき、既述したとおり、電子バリューの読み書きはアンテナを介して無線通信で行い、電子バリューに対応する電子ペーパ３０１の表示の書き換えは接点端子３０３、端子４０２を介して接触通信で行う。
【００３４】
図６に、ＩＣカード３００の電子ペーパ３０１による表示例を示す。図６（ａ）は新幹線の乗車券及び特急券（指定席）の表示例である。図６（ｂ）は特急券の表示例である。図６（ｃ）は野球やサッカー等のチケットの表示例である。図６（ａ）〜（ｃ）に示すのは一例に過ぎず、例えば電子ペーパ３０１の表示領域を複数に分けて、複数の電子バリューに対応する表示が可能となるようにしてもよい。
【００３５】
次に、ＩＣカード３００をリーダライタ４００から取り外すときは、解除レバー４０６ｅを押す。これにより、支持部４０６ａが後方に反るように弾性変形するので、付勢されている突出部材４０７によりＩＣカード３００の他端側が押し上げられる。このとき、図５（ａ）に示すように、第２の端子４０２ｂがＩＣカード３００の第２の接点端子３０３ｂから離間する。
【００３６】
その後、ＩＣカード３００の一端を挿入部４０５から引き抜くようにしてＩＣカードを取り外す。このとき、第１の端子４０２ａがＩＣカード３００の第１の接点端子３０３ａから離間する。
【００３７】
以上のように、ＩＣカード３００をリーダライタ４００から取り外すときは、第２の端子４０２ｂがＩＣカード３００の第２の接点端子３０３ｂから離間した後に、第１の端子４０２ａがＩＣカード３００の第１の接点端子３０３ａから離間することになる。すなわち、第１の端子４０２ａ及び第２の端子４０３ｂの両方から電圧供給がなされている状態でＩＣカード３００を取り外したとしても、電圧遮断の順序は高電圧が先に、低電圧が後になる。
【００３８】
以上説明したように、第１の端子４０２ａ及び第２の端子４０３ｂの両方から電圧供給がなされている状態でＩＣカード３００をセットしたり、取り外したりしても、高電圧だけが印加されるのを避けることができ、低電圧デバイスを保護することができる。
【００３９】
しかも、ＩＣカード３００への電圧印加の順序、電圧遮断の順序を機構的に規制するので、ＩＣカード３００やリーダライタ２００内に保護回路を実装する必要がなく、ＩＣカード３００やリーダライタ４００が複雑化、大型化したり、コストアップしたりすることがない。
【００４０】
以上、本発明を種々の実施形態とともに説明したが、本発明はこれらの実施形態にのみ限定されるものではなく、本発明の範囲内で変更等が可能である。例えば、図７に示すように、挿入部４０５の開口内部の上面を傾斜面４０５ａとしてもよい。上述したようにＩＣカード３００を斜めにしてその一端を挿入部４０５に挿入することから、図４、５に示すように挿入部４０５の開口形状を断面コの字状とした場合、Ｚ方向（ＩＣカード３００の板厚方向）の開口幅をＩＣカード３００の板厚に比べてある程度大きくしておかなければならない。すなわち、図４、５の例では、ＩＣカード３００のＺ方向の位置決めは、係止部４０６の係止面４０６ｃで行われることになる。それに対して、図７に示すように、挿入部４０５の開口内部の上面を傾斜面４０５ａとする場合、該傾斜面４０５ａの最奥部がＩＣカード３００の表面位置となるようにＺ方向の位置決めを行うことができる。
【００４１】
また、図８に示すように、挿入部４０５を回動可能に支持する構造としてもよい。この場合、挿入部４０５のＺ方向の開口幅をＩＣカード３００の板厚と同等にすることができ、挿入部４０５に対するＩＣカード３００の抜き挿しを抗力を与えた状態で行うようにすることができる。したがって、挿入部４０５だけでＸ、Ｙ、Ｚ方向の位置決めを行うことができ、上記実施形態で述べたような係止部４０６は必ずしも設けなくてもよい。ただし、ＩＣカード３００が水平な状態のまま挿入部４０５から抜かれるのを防止するために、ＩＣカード３００の他端に当接するストッパ４０８等を設けておくのが望ましい。
【００４２】
また、上記実施形態では、挿入部４０５がＩＣカード３００の一端をすべて覆うような形状としたが、図９に示すように、ＩＣカード３００の一端の一部だけを覆うような形状としてもよい。図９に示すように、挿入部４０５をＩＣカード３００の一端の両コーナ部を覆うような形状とする場合、ＩＣカード３００の端面の複数の第１の接点端子３０３ａもコーナ部付近に配設すればよい。
【符号の説明】
【００４３】
１００    サーバ
２００    パーソナルコンピュータ
２０１    制御部
３００    非接触ＩＣカード
３０１    電子ペーパ
３０２    非接触チップ
３０３    接点端子
３０３ａ  第１の接点端子
３０４ｂ  第２の接点端子
３０４    接触チップ
３０５    カード本体
４００    リーダライタ
４０１    非接触通信部
４０２    端子
４０２ａ  第１の端子
４０２ｂ  第２の端子
４０３    接触通信部
４０４    基台
４０５    挿入部
４０６    係止部
４０７    突出部材
【図１】
2010198220.tif 000003
【図２】
2010198220.tif 000004
【図３】
2010198220.tif 000005
【図４】
2010198220.tif 000006
【図５】
2010198220.tif 000007
【図６】
2010198220.tif 000008
【図７】
2010198220.tif 000009
【図８】
2010198220.tif 000010
【図９】
2010198220.tif 000011